(57)【要約】【課題】特定の端末装置を使用する者の在席状況によって、自装置の利用を制限することができる画像処理装置を提供する。【解決手段】管理者端末３０ａの電源状態は、管理者の在席状況に応じて変化し、各電源状態には、管理者の在席状況が反映されている。たとえば、電源オン状態には管理者の在席が、省電力モード状態には管理者の離席が、電源オフ状態には管理者の不在がそれぞれ反映されている。画像処理装置１０は、ネットワーク２に接続された管理者端末３０ａから電源状態を示す電源状態情報（電源取得要求に対する電源状態応答）を取得し、その電源状態情報に基づいて、自装置の電源状態を切り替え、自装置の利用を制限する。【選択図】図１
2012080501.tif 000002
【特許請求の範囲】
【請求項１】
複数の電源状態を切り替え可能な特定の端末装置からその電源状態を示す電源状態情報を取得する取得部と、
前記取得部で取得した電源状態情報に基づいて、自装置の利用制限に関する制御を行う制御部と、
を有する
ことを特徴とする画像処理装置。
【請求項２】
当該画像処理装置は、前記特定の端末装置を含む複数の端末装置とネットワークを介して接続されており、そのネットワークを介して前記複数の端末装置から受信したジョブを実行し、
前記自装置の利用制限に関する制御は、
前記特定の端末装置以外の端末装置から受信したジョブの受付制限に関する制御を含む
ことを特徴とする請求項１に記載の画像処理装置。
【請求項３】
当該画像処理装置は、自装置の利用が制限されない第１の電源状態と、前記第１の電源状態よりも自装置の消費電力が少なくされて自装置の利用が制限される第２の電源状態とを有し、
前記制御部は、前記電源状態情報によって示される前記特定の端末装置の電源状態に応じて、自装置を前記第１の電源状態または前記第２の電源状態に切り替える
ことを特徴とする請求項１または２に記載の画像処理装置。
【請求項４】
前記第１の電源状態は、前記電源状態情報によって示される前記特定の端末装置の電源状態に応じて切り替えられる、自装置を即利用可能な第１状態と、前記第１状態よりも自装置の消費電力が少なくされて自装置を即利用不可能な第２状態とを有し、
前記制御部は、前記第２状態にて自装置に対する利用の指示を受けた場合には、前記電源状態に応じた切り替えよりも優先して自装置を前記第１状態に切り替える
ことを特徴とする請求項３に記載の画像処理装置。
【請求項５】
ジョブを受け付ける受付部と、
前記受付部で受け付けたジョブを実行する実行部とを備え、
前記第２の電源状態は、前記電源状態情報によって示される前記特定の端末装置の電源状態に応じて切り替えられる、第３状態と、前記第３状態よりも自装置の消費電力が少ない第４状態とを有し、
前記制御部は、前記第３状態ではジョブを受け付けるが保存して実行を保留にし、該ジョブは自装置を前記第１の電源状態に切り替えた場合に前記保留を解除して実行し、前記第４状態ではジョブの受け付けを拒否する
ことを特徴とする請求項２〜４のいずれか１項に記載の画像処理装置。
【請求項６】
前記制御部は、第１のＣＰＵと第２のＣＰＵとを有し、
前記第１のＣＰＵは、当該画像処理装置の各部の動作を制御すると共に、前記第２の電源状態では動作を停止し、
前記第２のＣＰＵは、前記第１のＣＰＵとは独立して動作し、少なくとも前記第２の電源状態では、前記自装置の利用制限に関する制御を行う
ことを特徴とする請求項２〜４のいずれか１項に記載の画像処理装置。
【請求項７】
当該画像処理装置は、複数の前記特定の端末装置とネットワークを介して接続されており、
前記制御部は、前記複数の特定の端末装置から取得した各々の電源状態情報によって示される各々の電源状態のうち、電源オン状態側に最も近い電源状態に基づいて、前記自装置の利用制限に関する制御の変更を行う
ことを特徴とする請求項１〜６のいずれか１項に記載の画像処理装置。
【請求項８】
ジョブを受け付ける受付部と、
前記受付部で受け付けたジョブを実行する実行部とを備え、
前記自装置の利用制限に関する制御は、ジョブを受け付けて即実行する制御と、ジョブを受け付けるが保存して実行を一時保留にする制御と、ジョブの受け付けを拒否する制御とを含む
ことを特徴とする請求項１に記載の画像処理装置。
【請求項９】
前記自装置の利用制限に関する制御による、利用を制限する機能が設定可能である
ことを特徴とする請求項１〜８のいずれか１項に記載の画像処理装置。
【発明の詳細な説明】
【技術分野】
【０００１】
本発明は、プリンタや複合機などの画像処理装置に係り、特に、自装置の利用を制限する制御を行う画像処理装置に関する。
【背景技術】
【０００２】
ネットワークを介してＰＣ（パーソナルコンピュータ）などの端末装置と接続されるプリンタや複合機などの画像処理装置では、省電力の観点から、接続されている端末装置の稼動状況に応じて自装置の電源状態を変更するものがある。
【０００３】
たとえば、特許文献１には、ネットワークに接続されている端末装置の稼動状態を検出し、検出した稼動中の端末装置の台数に応じて自装置の電力機能を切り替える画像形成装置が開示されている。
【先行技術文献】
【特許文献】
【０００４】
【特許文献１】特開２００７−２８０６２号公報
【発明の概要】
【発明が解決しようとする課題】
【０００５】
一般ユーザと管理者が各々の端末装置を通じて画像処理装置を利用するオフィス環境などにおいては、管理者が席を離れていたり不在であったりする場合に、情報漏洩や不正利用防止の観点から、一般ユーザによる画像処理装置の利用を制限したいことがある。このような要望に対し、稼動中の端末装置の台数に応じて画像形成装置の電力機能を切り替える特許文献１の技術では対応することができない。
【０００６】
本発明は、上記の問題を解決しようとするものであり、特定の端末装置を使用する者の在席状況によって、自装置の利用を制限することができる画像処理装置を提供することを目的としている。
【課題を解決するための手段】
【０００７】
かかる目的を達成するための本発明の要旨とするところは、次の各項の発明に存する。
【０００８】
［１］複数の電源状態を切り替え可能な特定の端末装置からその電源状態を示す電源状態情報を取得する取得部と、
前記取得部で取得した電源状態情報に基づいて、自装置の利用制限に関する制御を行う制御部と、
を有する
ことを特徴とする画像処理装置。
【０００９】
上記発明では、画像処理装置は、複数の電源状態を切り替え可能な特定の端末装置からその電源状態を示す電源状態情報を取得し、その取得した電源状態情報に基づいて、自装置の利用制限に関する制御を行う。
【００１０】
特定の端末装置の電源状態は、当該端末装置の使用者が在席して当該端末装置を使用しているときは電源オン状態になり、その使用者が不在で当該端末装置を使用していないときは電源オフ状態などになる。これらの電源状態には、特定の端末装置を使用する者の在席や不在などの在席状況が反映されており、この特定の端末装置を使用する者の在席状況が反映された電源状態を示す電源状態情報に基づいて、自装置の利用制限に関する制御を行うことにより、特定の端末装置を使用する者の在席状況によって、自装置の利用を制限することができる。
【００１１】
［２］当該画像処理装置は、前記特定の端末装置を含む複数の端末装置とネットワークを介して接続されており、そのネットワークを介して前記複数の端末装置から受信したジョブを実行し、
前記自装置の利用制限に関する制御は、
前記特定の端末装置以外の端末装置から受信したジョブの受付制限に関する制御を含む
ことを特徴とする［１］に記載の画像処理装置。
【００１２】
上記発明では、画像処理装置の利用制限として、特定の端末装置以外の端末装置から受信したジョブの受付制限を行うことができる。
【００１３】
［３］当該画像処理装置は、自装置の利用が制限されない第１の電源状態と、前記第１の電源状態よりも自装置の消費電力が少なくされて自装置の利用が制限される第２の電源状態とを有し、
前記制御部は、前記電源状態情報によって示される前記特定の端末装置の電源状態に応じて、自装置を前記第１の電源状態または前記第２の電源状態に切り替える
ことを特徴とする［１］または［２］に記載の画像処理装置。
【００１４】
上記発明では、特定の端末装置の電源状態に応じて、画像処理装置（自装置）を第１の電源状態または第２の電源状態に切り替える。第１の電源状態では自装置の利用が制限されず、第２の電源状態では第１の電源状態よりも自装置の消費電力（自装置内の給電箇所）が少なくされて自装置の利用が制限される。このように、特定の端末装置の電源状態に応じて、自装置の電源状態を切り替えるだけで、自装置の利用を制限することができる。また、第２の電源状態に切り替えたときには、自装置の利用を制限しつつ省電力効果も得られる。
【００１５】
［４］前記第１の電源状態は、前記電源状態情報によって示される前記特定の端末装置の電源状態に応じて切り替えられる、自装置を即利用可能な第１状態と、前記第１状態よりも自装置の消費電力が少なくされて自装置を即利用不可能な第２状態とを有し、
前記制御部は、前記第２状態にて自装置に対する利用の指示を受けた場合には、前記電源状態に応じた切り替えよりも優先して自装置を前記第１状態に切り替える
ことを特徴とする［３］に記載の画像処理装置。
【００１６】
上記発明では、第１の電源状態内でも更に、特定の端末装置の電源状態に応じて、画像処理装置（自装置）を第１状態または第２状態に切り替える。第１状態では、自装置が即利用可能となり、第２状態では、第１状態よりも自装置の消費電力（自装置内の給電箇所）が少なくされて自装置が即利用不可能となる。この第２状態では自装置を即利用することはできないが、省電力効果が得られる。また、第２状態にて自装置に対する利用の指示を受けた場合には、特定の端末装置の電源状態に応じた切り替えよりも優先して、自装置が第１状態に切り替えられて利用可能となる。これにより、自装置の利用が制限されない第１の電源状態においても第２状態に切り替えたときには省電力効果が得られる。
【００１７】
［５］ジョブを受け付ける受付部と、
前記受付部で受け付けたジョブを実行する実行部とを備え、
前記第２の電源状態は、前記電源状態情報によって示される前記特定の端末装置の電源状態に応じて切り替えられる、第３状態と、前記第３状態よりも自装置の消費電力が少ない第４状態とを有し、
前記制御部は、前記第３状態ではジョブを受け付けるが保存して実行を保留にし、該ジョブは自装置を前記第１の電源状態に切り替えた場合に前記保留を解除して実行し、前記第４状態ではジョブの受け付けを拒否する
ことを特徴とする［２］〜［４］のいずれか１項に記載の画像処理装置。
【００１８】
上記発明では、第２の電源状態内でも更に、特定の端末装置の電源状態に応じて、画像処理装置（自装置）を第３状態または第４状態に切り替える。第３状態では、ジョブを受け付けるが保存して実行を保留にし、このジョブは自装置を第１の電源状態に切り替えた場合に保留を解除して実行する。この第３状態では、ジョブを即実行しないことによる利用制限を行うが、ジョブは受け付け可能とする。また第４状態では、第３状態よりも自装置の消費電力（自装置内の給電箇所）が少なくされ、ジョブの受け付けを拒否する。この第４状態では、ジョブの受け付けを拒否することによる利用制限を行いつつ、省電力効果も得られる。この自装置の利用が制限される第２の電源状態においては、第３状態ではジョブを受付可能であり、たとえば、全てのジョブを受付拒否するといった利用制限などと比較して、利便性が高められる。
【００１９】
［６］前記制御部は、第１のＣＰＵと第２のＣＰＵとを有し、
前記第１のＣＰＵは、当該画像処理装置の各部の動作を制御すると共に、前記第２の電源状態では動作を停止し、
前記第２のＣＰＵは、前記第１のＣＰＵとは独立して動作し、少なくとも前記第２の電源状態では、前記自装置の利用制限に関する制御を行う
ことを特徴とする［２］〜［４］のいずれか１項に記載の画像処理装置。
【００２０】
上記発明では、画像処理装置（自装置）の各部の動作を制御する第１のＣＰＵが第２の電源状態で動作を停止しても、第１のＣＰＵとは独立して動作する第２のＣＰＵによって、自装置の利用制限に関する制御を行うことができる。なお、第１の電源状態における自装置の利用制限に関する制御は、第１のＣＰＵと第２のＣＰＵのいずれが行ってもよい。
【００２１】
［７］当該画像処理装置は、複数の前記特定の端末装置とネットワークを介して接続されており、
前記制御部は、前記複数の特定の端末装置から取得した各々の電源状態情報によって示される各々の電源状態のうち、電源オン状態側に最も近い電源状態に基づいて、前記自装置の利用制限に関する制御の変更を行う
ことを特徴とする［１］〜［６］のいずれか１項に記載の画像処理装置。
【００２２】
上記発明では、特定の端末装置が複数の場合には、その複数の特定の端末装置から取得した各々の電源状態情報によって示される各々の電源状態のうち、電源オン状態側に最も近い（状態レベルの最も高い）電源状態に基づいて、画像処理装置（自装置）の利用制限に関する制御を行う。
【００２３】
上述したように、特定の端末装置の電源状態には、当該端末装置を使用する者の在席状況が反映されており、ここでは、電源オン状態側に最も近い電源状態にある特定の端末装置を使用する者の在席状況によって、画像処理装置の利用制限に関する制御を行うことができる。
【００２４】
［８］ジョブを受け付ける受付部と、
前記受付部で受け付けたジョブを実行する実行部とを備え、
前記自装置の利用制限に関する制御は、ジョブを受け付けて即実行する制御と、ジョブを受け付けるが保存して実行を一時保留にする制御と、ジョブの受け付けを拒否する制御とを含む
ことを特徴とする［１］に記載の画像処理装置。
【００２５】
上記発明では、特定の端末装置から電源状態を示す電源状態情報を取得し、その取得した電源状態情報に基づいて、画像処理装置（自装置）の利用制限に関する制御を行うに当たり、ジョブを受け付けて即実行する制御、または、ジョブを受け付けるが保存して実行を一時保留にする制御、または、ジョブの受け付けを拒否する制御を行う。自装置の利用制限においては、ジョブの一時保留と受付拒否が切り替えられるようになり、たとえば、全てのジョブを受付拒否するといった利用制限などと比較して、利便性が高められる。
【００２６】
［９］前記自装置の利用制限に関する制御による、利用を制限する機能が設定可能である
ことを特徴とする［１］〜［８］のいずれか１項に記載の画像処理装置。
【００２７】
上記発明では、画像処理装置の利用を制限する機能を任意に設定することができる。たとえば、全ての機能の利用を制限したり、一部の機能の利用を制限したりするなどが設定できるようになる。
【発明の効果】
【００２８】
本発明に係る画像処理装置によれば、特定の端末装置を使用する者の在席状況によって、自装置の利用を制限することができる。したがって、特定の端末装置を使用する者が離席や不在などの場合に、画像処理装置の利用を制限して、他の者による不正利用などを防止することが可能となる。
【図面の簡単な説明】
【００２９】
【図１】本発明の第１の実施形態に係る画像処理装置が接続されたネットワークシステムを示す説明図である。
【図２】本発明の第１の実施形態に係る画像処理装置の概略構成を示すブロック図である。
【図３】端末装置の概略構成を示すブロック図である。
【図４】本発明の第１の実施形態に係る電源状態変更リストの一例を示す図である。
【図５】画像処理装置のサブＣＰＵが行う電源状態の遷移動作を示す流れ図である。
【図６】画像処理装置のサブＣＰＵが行う省電力モードＡ状態から電源オン状態への遷移動作を示す流れ図である。
【図７】本発明の第２の実施形態に係る電源状態変更リストの一例を示す図である。
【図８】本発明の第２の実施形態に係る画像処理装置のサブＣＰＵが行う電源状態の遷移動作を示す流れ図である。
【図９】図８の電源状態遷移における詳細な動作を示す流れ図である。
【図１０】本発明の第３の実施形態に係る画像処理装置が行う端末装置からプリントジョブを受信したときの動作を示す流れ図である。
【図１１】画像処理装置が電源オン状態または省電力モードＡ状態に遷移したときにスプールジョブを実行する動作を示す流れ図である。
【図１２】本発明の第３の実施形態に係るジョブ受付制限変更リストの一例を示す図である。
【図１３】画像処理装置が操作パネルを通じたジョブの受付制限を行う場合の動作を示す流れ図である。
【図１４】画像処理装置が端末装置から受信したプリントジョブの受付制限を行う場合の動作を示す流れ図である。
【図１５】画像処理装置がスプールジョブを実行する場合の動作を示す流れ図である。
【発明を実施するための形態】
【００３０】
以下、図面に基づき本発明の実施形態を説明する。
【００３１】
［第１の実施形態］
図１は、本発明の第１の実施形態に係る画像処理装置１０が接続されたネットワークシステム５の一例を示している。画像処理装置１０は、ＬＡＮ（Local Area Network）などのネットワーク２を介して複数台の端末装置３０と接続されている。
【００３２】
画像処理装置１０は、記録紙に画像を形成して出力する機能を備えたプリンタや複合機などである。本例では、画像処理装置１０は、原稿を光学的に読み取ってその複製画像を記録紙に印刷するコピージョブ、読み取った原稿の画像データをファイルにして保存したり外部端末へネットワークを通じて送信したりするスキャンジョブ、端末装置３０からネットワーク２を通じて受信した印刷データに係る画像を記録紙に印刷するプリントジョブなどのジョブを実行する機能を備えた複合機である。
【００３３】
画像処理装置１０は、電力消費を抑える省電力機能を備えており、本実施形態では、２種類の省電力モードを含む４つの電源状態を備えている。詳細には、すべての部分に通電されてジョブを実行可能な電源オン状態（通常状態）と、電源オン状態より電力消費の少ない省電力モードＡ状態と、省電力モードＡ状態よりさらに電力消費の少ない省電力モードＢ状態と、省電力モードＢ状態よりさらに電力消費の少ない電源オフ状態を備えている。これらの電源状態では、電源オフ状態、省電力モードＢ状態、省電力モードＡ状態、電源オン状態の順に、電源状態のレベル（状態レベル）が高くなる。
【００３４】
端末装置３０は、画像処理装置１０に対して、スキャンジョブやプリントジョブなどのジョブを投入してその実行を要求する機能を備えた情報処理装置である。端末装置３０は、ＯＳプログラムや画像処理装置１０のドライバプログラム、文書や画像を作成・編集するアプリケーションプログラムなどがインストールされたパーソナルコンピュータ（ＰＣ）などで構成される。スキャンジョブやプリントジョブの投入など画像処理装置１０に対する各種の要求は画像処理装置１０用のドライバプログラムによって行われる。
【００３５】
端末装置３０も画像処理装置１０と同様に、電力消費を抑える省電力機能を備えており、本実施形態では、２種類の省電力モードを含む４つの電源状態を備えている。詳細には、各部へ通電されて各種の処理を実行可能な電源オン状態（通常状態）と、電源オン状態より電力消費の少ない省電力モードＡ状態と、省電力モードＡ状態よりさらに電力消費の少ない省電力モードＢ状態と、省電力モードＢ状態よりさらに電力消費の少ない電源オフ状態（シャットダウン）を備えている。これらの電源状態も、電源オフ状態、省電力モードＢ状態、省電力モードＡ状態、電源オン状態の順に、電源状態のレベル（状態レベル）が高くなる。
【００３６】
また、ネットワーク２に接続されている複数台の端末装置３０には、ユーザの使用する端末装置３０（ユーザ端末３０ｂ）と、管理者の使用する端末装置３０（管理者端末３０ａ）がある。管理者とは、画像処理装置１０の管理者権限を有する者（装置管理者）や、ユーザの所属する組織の管理職能を有する者（職務上の組織管理者）などである。本実施形態では、ユーザに対して画像処理装置１０の利用を制限する権限を有する特定の者（特定者）を上記の管理者としており、特定者の使用する特定の端末装置３０が管理者端末３０ａとなっている。
【００３７】
画像処理装置１０は、ネットワーク２に接続されている複数台の端末装置３０のうちの管理者端末３０ａに対して電源状態を問い合わせ（電源状態取得要求Ｑを送信）し、管理者端末３０ａから受信した電源状態情報Ｒに基づいて、自装置の電源状態を切り替える機能を備えている。上記の問い合わせは、設定された一定周期（所定の時間間隔）で繰り返し行われる。
【００３８】
図２は、画像処理装置１０の概略構成を示している。画像処理装置１０は、当該画像処理装置１０の動作を統括制御するメインＣＰＵ（Central Processing Unit）１１と、このメインＣＰＵ１１に接続されたＲＯＭ（Read Only Memory）１２と、ＲＡＭ（Random Access Memory）１３と、スキャナ部１４と、プリンタ部１５と、ファクシミリ部１６と、表示部１７と、操作部１８と、画像処理部１９とを備えている。さらに、メインＣＰＵ１１には、サブＣＰＵ２１を内部に備えたブリッジ部２０が接続されている。ブリッジ部２０には、メモリ２２と、不揮発メモリ２３と、ネットワークＩ／Ｆ部２４と、ハードディスク装置２５が接続されている。また、画像処理装置１０は、当該画像処理装置１０の各部へ電力供給する電源部２８を備えている。
【００３９】
メインＣＰＵ１１ではＯＳプログラムをベースとし、その上で、ミドルウェアやアプリケーションプログラムなどが実行される。サブＣＰＵ２１は、メインＣＰＵ１１より処理能力が小さく消費電力も少ないＣＰＵである。
【００４０】
メインＣＰＵ１１は、ブリッジ部２０を通じてサブＣＰＵ２１およびブリッジ部２０に接続されている各部へアクセスして情報を授受可能になっている。サブＣＰＵ２１は、ブリッジ部２０を通じてメモリ２２、不揮発メモリ２３、ネットワークＩ／Ｆ部２４、ハードディスク装置２５にアクセスでき、メインＣＰＵ１１とも情報を授受することができる。これにより、たとえば、メモリ２２や不揮発メモリ２３は、メインＣＰＵ１１とサブＣＰＵ２１との間の情報授受の媒体としても使用される。
【００４１】
ＲＯＭ１２には各種のプログラムが格納されており、これらのプログラムに従ってメインＣＰＵ１１が処理を実行することでジョブの実行など画像処理装置１０の各機能が実現される。ＲＡＭ１３はメインＣＰＵ１１がプログラムを実行する際に各種のデータを一時的に格納するワークメモリや画像データを格納する画像メモリなどとして使用される。なお、その他の必要なプログラムはハードディスク装置２５からＲＡＭ１３にロードされて実行される。
【００４２】
スキャナ部１４、プリンタ部１５、ファクシミリ部１６、表示部１７、操作部１８、画像処理部１９などはメインＣＰＵ１１によって動作が制御される。たとえば、メインＣＰＵ１１は、ネットワーク２を通じて端末装置３０から受信したプリントジョブに係る印刷をプリンタ部１５に行わせるように制御する。
【００４３】
電源部２８は、商用電源を適宜の電圧に変換して画像処理装置１０の各部へ電力を供給する。また、メインＣＰＵ１１やサブＣＰＵ２１からの指示に従って、電力を供給するか供給停止するかを電力供給先別に制御する機能を備えている。
【００４４】
ここでは、電源オン状態（通常状態）では全ての部分に電力供給（給電）する。省電力モードＡ状態では、スキャナ部１４、プリンタ部１５、ファクシミリ部１６（受信部を除く）、表示部１７、画像処理部１９、ハードディスク装置２５への給電は停止し、他の部分へは給電する。ただし、省電力モードＡ状態では、メインＣＰＵ１１は能力を低下させて低消費電力で動作する。省電力モードＢ状態では、ＲＡＭ１３へは給電を継続するがメインＣＰＵ１１やＲＯＭ１２への給電は停止し、メインＣＰＵ１１は動作を停止する。
【００４５】
この省電力モードＡ状態と省電力モードＢ状態では、ＲＡＭ１３への給電が継続されており（ＯＳ管理状態）、電源オン状態へ復帰してメインＣＰＵ１１が稼動すると、ＲＡＭ１３に記憶されている情報に基づいて直ぐに通常の動作に復帰することができる。また、電源オン状態への復帰時間は、省電力モードＡ状態よりも給電を停止している部分の多い省電力モードＢ状態の方が長くなる。
【００４６】
電源オフ状態では、サブＣＰＵ２１、メモリ２２、不揮発メモリ２３、ネットワークＩ／Ｆ部２４には給電し、他の部分（メインＣＰＵ１１も含む）への給電は停止するようになっている。
【００４７】
スキャナ部１４は、原稿を光学的に読み取って画像データを取得する機能を果たす。スキャナ部１４は、たとえば、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。
【００４８】
プリンタ部１５は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００４９】
ファクシミリ部１６は、ファクシミリ送信および受信に係る動作を制御する。
【００５０】
画像処理装置１０の操作パネルは表示部１７と操作部１８を備えて構成される。表示部１７は、液晶ディスプレイ（ＬＣＤ…Liquid Crystal Display）などで構成され、各種の操作画面、設定画面などを表示する機能を果たす。操作部１８は、ユーザからジョブの投入や設定など各種の操作を受け付ける機能を果たす。操作部１８は、表示部１７の画面上に設けられて押下された座標位置を検出するタッチパネルのほかテンキーや文字入力キー、スタートキーなどを備えて構成される。
【００５１】
画像処理部１９は、画像の拡大縮小、回転などの処理のほか、印刷データをイメージデータに変換するラスタライズ処理、画像データの圧縮、伸張処理などを行う。
【００５２】
メモリ２２はサブＣＰＵ２１のワークメモリとして使用される。不揮発メモリ２３は、電源がオフされても記憶内容が破壊されないメモリ（フラッシュメモリ）であり、後述する電源状態変更リストやサブＣＰＵ２１が実行するプログラムなどが記憶されている。ネットワークＩ／Ｆ部２４は、ネットワーク２を通じて端末装置３０やその他の外部装置と各種のデータを送受信する機能を果たす。ハードディスク装置２５は、大容量不揮発の記憶装置であり、プログラムのほか、たとえば、印刷データや画像データの保存に使用される。
【００５３】
サブＣＰＵ２１は、メインＣＰＵ１１とは別に、ＯＳプログラムに関係なく独自に動作し、メインＣＰＵ１１の動作あるいは給電が停止する電源状態でも、サブＣＰＵ２１は稼動している。画像処理装置１０は、サブＣＰＵ２１が稼動している状態であれば、メモリ２２や不揮発メモリ２３へのアクセス、ネットワークＩ／Ｆ部２４による通信を行うことができる。すなわち、ネットワークＩ／Ｆ部２４はサブＣＰＵ２１によってルーティングされ、ＯＳ上のソフトウェアに依存することなく、ネットワーク２を介して端末装置３０などの外部装置と通信することができる。
【００５４】
図３は、端末装置３０の概略構成の一例を示している。端末装置３０は、メインＣＰＵ３１と、ＲＯＭ３２と、ＲＡＭ３３と、入出力Ｉ／Ｆ部３４と、ブリッジ部４０と、サブＣＰＵ４１と、メモリ４２と、不揮発メモリ４３と、ネットワークＩ／Ｆ部４４と、ハードディスク装置４５と、電源部４８とを備えている。さらに入出力Ｉ／Ｆ部３４を介して、キーボードやマウスなどの入力デバイス３５と、液晶ディスプレイなどの表示装置３６が接続されている。
【００５５】
ＲＯＭ３２には起動用のプログラムや固定データが記憶される。ＲＡＭ３３には、ハードディスク装置４５からロードしたプログラムが記憶される。またＲＡＭ３３は、メインＣＰＵ３１がプログラムを実行する際に各種のデータを一時的に格納するワークメモリなどとして使用される。
【００５６】
不揮発メモリ４３は、電源をオフにしても記憶内容が破壊されないメモリ（フラッシュメモリ）である。ネットワークＩ／Ｆ部４４は、ネットワーク２を介して画像処理装置１０や他の外部装置と各種のデータを送受信する機能を果たす。ハードディスク装置４５は、大容量不揮発の記憶装置であり、ＯＳプログラムや画像処理装置１０のドライバプログラム、ミドルウェア、各種アプリケーションプログラム、ファイル、データなどが保存される。
【００５７】
端末装置３０においても、サブＣＰＵ４１は、メインＣＰＵ３１より処理能力が小さく消費電力も少ないＣＰＵである。メインＣＰＵ３１ではＯＳプログラムをベースとし、その上で、ミドルウェアやアプリケーションプログラムなどが実行される。サブＣＰＵ４１は、ＯＳプログラムなしで動作し、メインＣＰＵ３１に比べて、負荷の少ない処理を実行する。
【００５８】
メインＣＰＵ３１は、ブリッジ部４０を通じてサブＣＰＵ４１およびブリッジ部４０に接続されている各部へアクセスして情報を授受可能になっている。サブＣＰＵ４１は、ブリッジ部４０を通じてメモリ４２、不揮発メモリ４３、ネットワークＩ／Ｆ部４４、ハードディスク装置４５にアクセスでき、メインＣＰＵ３１とも情報を授受することができる。これにより、たとえば、メモリ４２や不揮発メモリ４３は、メインＣＰＵ３１とサブＣＰＵ４１との間の情報授受の媒体としても使用される。
【００５９】
電源部４８は、商用電源を適宜の電圧に変換して端末装置３０の各部へ電力を供給する。また、メインＣＰＵ３１やサブＣＰＵ４１からの指示に従って、電力を供給するか供給停止するかを電力供給先別に制御する機能を備えている。
【００６０】
ここでは、電源オン状態（通常状態）では全ての部分に電力供給（給電）する。省電力モードＡ状態では、入出力Ｉ／Ｆ部３４、ハードディスク装置４５への給電は停止し、他の部分へは給電する。ただし、省電力モードＡ状態では、メインＣＰＵ３１は能力を低下させて低消費電力で動作する。省電力モードＢ状態では、さらにメインＣＰＵ３１への給電も停止し、メインＣＰＵ３１は動作を停止する。
【００６１】
この省電力モードＡ状態と省電力モードＢ状態では、ＲＡＭ３３への給電が継続されており、ＯＳ管理状態にあり、電源オン状態へ復帰してメインＣＰＵ３１が稼動すると、ＲＡＭ３３に記憶されている情報に基づいて直ぐに通常の動作に復帰することができる。また省電力モードは、モードＡ→モードＢの順に段階的に移行し、移行するに従って電源オン状態への復帰時間が長くなる。すなわち、省電力モードＡ状態よりも給電を停止している部分の多い省電力モードＢ状態の方が電源オン状態への復帰時間は長くなる。
【００６２】
電源オフ状態（シャットダウン）では、さらにＲＯＭ３２への給電も停止する。電源オフ状態においても、サブＣＰＵ４１、メモリ４２、不揮発メモリ４３、ネットワークＩ／Ｆ部４４には、図示省略のメイン電源スイッチがオフされたり商用電源の供給が停止されたりしない限り、給電される。電源オフ状態から通常の稼動状態（電源オン状態）に復帰するためには、メインＣＰＵ３１はＯＳの立ち上げ、すなわち、初期化から始めることになる。
【００６３】
端末装置３０は、画像処理装置１０と同様に、電源オフ状態においてもサブＣＰＵ４１が稼動している。そして、サブＣＰＵ４１が稼動している状態であれば、メモリ４２や不揮発メモリ４３へのアクセス、ネットワークＩ／Ｆ部４４による通信を行うことができる。すなわち、ネットワークＩ／Ｆ部４４はサブＣＰＵ４１によってルーティングされ、ＯＳ上のソフトウェアに依存することなく、ネットワーク２を介して画像処理装置１０などの外部装置と通信することができる。
【００６４】
また、端末装置３０の省電力機能は、手動または自動で作動するようになっている。手動の場合には、端末装置３０は電源オン状態にて、省電力機能を作動させる操作を受けると、省電力モードＡ状態に遷移する。自動の場合には、端末装置３０は電源オン状態にて、無操作状態で所定時間が経過すると、自動的に省電力モードＡ状態に遷移する。また、いずれの場合も省電力モードＡ状態に遷移した後は、更に無操作状態で所定時間が経過すると、自動的に省電力モードＢ状態に遷移するようになっている。この電源オン状態から省電力モードＡ状態に自動遷移する所定時間と、省電力モードＡ状態から省電力モードＢ状態に自動遷移する所定時間とは、予め設定しておく。管理者端末３０ａにおいては、前者は比較的短い時間、たとえば５分や１０分などに設定し、後者はそれよりも長い時間、たとえば３０分や１時間などに設定しておく。
【００６５】
また端末装置３０は、省電力モードＡ状態または省電力モードＢ状態で操作を受けると、自動的に電源オン状態に遷移（復帰）するようになっている。
【００６６】
これにより、管理者が管理者端末３０ａを立ち上げて使用（操作）しているときには、管理者端末３０ａは電源オン状態を継続する。管理者が席を離れるため、省電力機能を作動させる操作を行うと、管理者端末３０ａは電源オン状態から省電力モードＡ状態に遷移する。また、管理者が省電力機能を作動させる操作を行わずに席を離れた場合には、管理者端末３０ａは無操作状態で所定時間（１０分など）が経過すると、自動的に省電力モードＡ状態に遷移する。
【００６７】
この省電力モードＡ状態で無操作状態が所定時間（１時間など）継続される前に、管理者が席に戻って管理者端末３０ａを使用（操作）すると、管理者端末３０ａは省電力モードＡ状態から電源オン状態に復帰する。省電力モードＡ状態で無操作状態が所定時間継続されると、管理者端末３０ａは自動的に省電力モードＢ状態に遷移する。その後、管理者が席に戻って管理者端末３０ａを使用（操作）すると、管理者端末３０ａは省電力モードＢ状態から電源オン状態に復帰する。また、管理者が不在で管理者端末３０ａを使用していないときには、管理者端末３０ａは電源オフ状態となる。
【００６８】
このように、管理者端末３０ａの電源状態は、管理者の在席状況（離席状況）に応じて変化し、各電源状態には、管理者の在席状況の詳細が反映されている。本実施形態の４つの電源状態においては、電源オン状態には管理者の在席が、省電力モードＡには管理者の一時離席が、省電力モードＢには管理者の長時間離席が、電源オフ状態には管理者の不在がそれぞれ反映されている。
【００６９】
前述したように、画像処理装置１０は、管理者端末３０ａの電源状態（管理者端末３０ａから受信した電源状態情報Ｒ）に基づいて、自装置の電源状態を切り替えるようになっており、この管理者端末３０ａの電源状態（管理者の在席状況）に基づいた自装置の電源状態の切り替えによって、自装置の利用を制限するようになっている。
【００７０】
図４は、画像処理装置１０の不揮発メモリ２３（ハードディスク装置２５でもよい）に記憶されている電源状態変更リスト５０の一例を示している。この電源状態変更リスト５０には、管理者端末３０ａの電源状態に自装置（画像処理装置１０）の電源状態を連動させて切り替えるための情報が登録されている。
【００７１】
詳細には、電源状態変更リスト５０には、管理者端末３０ａの端末名とＩＰアドレスが登録されている。端末名はネットワーク管理者などが管理者端末３０ａに割り当てた名称である。ＩＰアドレスは、管理者端末３０ａのネットワーク２内のＩＰアドレスである。
【００７２】
さらに、管理者端末３０ａの電源状態と、画像処理装置１０の電源状態の項目が設けてあり、両項目には、管理者端末３０ａの４つの電源状態（電源オン、省電力モードＡ、省電力モードＢ、電源オフ）と、これに連動させて切り替える画像処理装置１０の４つの電源状態（電源オン、省電力モードＡ、省電力モードＢ、電源オフ）とが、一対一に対応付けて登録されている。
【００７３】
次に、画像処理装置１０の動作について説明する。
【００７４】
図５は、画像処理装置１０のサブＣＰＵ２１が行う電源状態の遷移動作を示す流れ図である。
【００７５】
画像処理装置１０のサブＣＰＵ２１は、一定時間経過毎に図４に示す処理を行う。この一定時間は、管理者端末３０ａに設定されている自動で省電力機能を作動させる（省電力モードＡに移行する）時間よりも短い時間にすることが好ましい。たとえば、管理者端末３０ａ側で１０分に設定されている場合には、上記の一定時間はそれよりも短い１分や５分などにすることが好ましい。
【００７６】
サブＣＰＵ２１は、電源状態変更リスト５０に登録されている管理者端末３０ａに対して電源状態取得要求を送信し（ステップＳ１０１）、この電源状態取得要求に対する応答として送信先の管理者端末３０ａから電源状態応答を受信するか否かを監視する（ステップＳ１０２；Ｎｏ）。
【００７７】
管理者端末３０ａでは、電源状態取得要求を受信すると、サブＣＰＵ４１が現在の自装置の電源状態を示す情報（電源状態情報）を含む電源状態応答を作成し、これを先ほど受信した電源状態取得要求の送信元（画像処理装置１０）へ送信する。
【００７８】
画像処理装置１０のサブＣＰＵ２１は、電源状態応答を受信すると（ステップＳ１０２；Ｙｅｓ）、その電源状態応答に含まれている電源状態情報から管理者端末３０ａの電源状態を把握し、電源状態変更リスト５０に従い自装置の電源状態を遷移させる（ステップＳ１０３）。
【００７９】
具体的には、管理者端末３０ａの電源状態を電源オンと把握した場合には、電源状態変更リスト５０に従い、自装置の電源状態を電源オンに遷移させる。管理者端末３０ａの電源状態を省電力モードＡと把握した場合には、電源状態変更リスト５０に従い、自装置の電源状態を省電力モードＡに遷移させる。管理者端末３０ａの電源状態を省電力モードＢと把握した場合には、自装置の電源状態を省電力モードＢに遷移させる。管理者端末３０ａの電源状態を電源オフと把握した場合には、自装置の電源状態を電源オフに遷移させる。
【００８０】
図６は、画像処理装置１０のサブＣＰＵ２１が行う省電力モードＡ状態から電源オン状態への遷移動作を示す流れ図である。
【００８１】
画像処理装置１０のサブＣＰＵ２１は、操作パネルで操作部１８に対する操作を受けると、または、端末装置３０からプリントジョブを受信すると（ステップＳ２０１）、自装置の電源状態を確認する。自装置の電源状態が省電力モードＡの場合には（ステップＳ２０２；Ｙｅｓ）、サブＣＰＵ２１は自装置の電源状態を電源オンに遷移させる（ステップＳ２０３）。自装置の電源状態が電源オンまたは省電力モードＢまたは電源オフの場合には（ステップＳ２０２；Ｎｏ）、その現在の電源状態を維持する。
【００８２】
図５と図６において、管理者端末３０ａが電源オン状態であれば、画像処理装置１０はそれに連動して電源オン状態となり、図６のステップＳ２０１で、操作パネルに対する操作を受けたり、端末装置３０からプリントジョブを受信したりしたときに、その電源オン状態にて通常の動作を行う。たとえば、操作パネルを通じて、原稿のコピーやファクシミリ送信などのジョブを受け付けて実行したり、端末装置３０から受信したプリントジョブを受け付けて実行したりする。なお、画像処理装置１０が電源オン状態のときには、管理者端末３０ａは電源オン状態となっており、プリントジョブは管理者端末３０ａもしくはユーザ端末３０ｂから受信することになる。
【００８３】
また、管理者端末３０ａが省電力モードＡ状態であれば、画像処理装置１０はそれに連動して省電力モードＡ状態となり、図６のステップＳ２０１で、操作パネルに対する操作を受けたり、端末装置３０からプリントジョブを受信したりしたときに、ステップＳ２０２、Ｓ２０３で、省電力モードＡから電源オン状態に遷移（復帰）し、通常の動作を行う。たとえば、電源オン状態に復帰してから、操作パネルを通じて、原稿のコピーやファクシミリ送信などのジョブを受け付けて実行したり、端末装置３０から受信したプリントジョブを受け付けて実行したりする。なお、画像処理装置１０が省電力モードＡ状態のときには、管理者端末３０ａは省電力モードＡ状態となっており、プリントジョブはユーザ端末３０ｂから受信することになる。
【００８４】
このように、画像処理装置１０は、管理者端末３０ａが電源オン状態または省電力モードＡ状態であれば、それに連動して自装置も電源オン状態または省電力モードＡ状態になり、これらの電源状態では、全てのジョブを受け付けて実行する。すなわち、ユーザ（管理者を含む）は画像処理装置１０を利用することができる（図４参照）。
【００８５】
また、管理者端末３０ａが省電力モードＢ状態または電源オフ状態であれば、画像処理装置１０はそれに連動して省電力モードＢ状態または電源オフ状態となり、図６のステップＳ２０１で、操作パネルに対する操作を受けたり、端末装置３０からプリントジョブを受信したりしても、画像処理装置１０は電源オン状態に遷移（復帰）せずにその省電力モードＢ状態または電源オフ状態を維持する。この場合は、操作パネルを通じたジョブ（原稿のコピーやファクシミリ送信などのジョブ）の受け付けを拒否したり、端末装置３０から受信したプリントジョブの受け付けを拒否したりすることになる。この省電力モードＢ状態と電源オフ状態では、全てのジョブが受付拒否され実行不可能となる。すなわち、ユーザは画像処理装置１０を利用できなくなる（図４参照）。
【００８６】
このように、本実施形態に係る画像処理装置１０は、管理者端末３０ａから電源状態を示す電源状態情報（電源取得要求に対する電源状態応答）を取得し、その電源状態情報に基づいて、自装置の電源状態を切り替え、自装置の利用を制限する。
【００８７】
前述したように、管理者端末３０ａの電源状態は、管理者の在席状況（離席状況）に応じて変化し、各電源状態には、管理者の在席状況が反映されている。本実施形態では、電源オン状態には在席が、省電力モードＡには一時離席が、省電力モードＢには長時間離席が、電源オフ状態には不在がそれぞれ反映されている。
【００８８】
また画像処理装置１０は、管理者端末３０ａが電源オン状態（管理者・在席）または省電力モードＡ状態（管理者・一時離席）であれば、それに連動して自装置も電源オン状態または省電力モードＡ状態になり、これらの電源状態では、全てのジョブを受け付けて実行する。この管理者の在席または一時離席の場合には、ユーザは画像処理装置１０が利用可能となる。
【００８９】
一方、管理者端末３０ａが省電力モードＢ状態（管理者・長時間離席）または電源オフ状態（管理者・不在）であれば、画像処理装置１０はそれに連動して省電力モードＢ状態または電源オフ状態になり、これらの電源状態では、全てのジョブを受付拒否する（実行不可能）。この管理者の長時間離席または不在の場合には、ユーザは画像処理装置１０が利用不可能となる。このように、管理者が長時間離席や不在の場合には、画像処理装置１０の利用が制限され（利用不可能）、ユーザによる画像処理装置１０の不正利用などを防止することができる。
【００９０】
また本実施形態では、管理者端末３０ａの電源状態に連動させて、画像処理装置１０の電源状態を切り替えるだけで、画像処理装置１０の利用を制限することができ、特に、省電力モードＢ状態や電源オフ状態に切り替えたときには、画像処理装置１０の利用を制限しつつ省電力効果も得られる。また、画像処理装置１０を利用可能とする場合でも、省電力モードＡ状態に切り替えたときには省電力効果が得られる。
【００９１】
［第２の実施形態］
第１の実施形態では、管理者端末３０ａが１台の場合を説明したが、第２の実施形態では、管理者端末３０ａが複数台の場合を説明する。前述した図１は、ネットワーク２に管理者端末３０ａが１台だけ接続されている状態を示しているが、本実施形態では、ネットワーク２に管理者端末３０ａが複数台接続されているものとして説明する。
【００９２】
図７は、本実施形態に係る電源状態変更リスト６０の一例を示している。この電源状態変更リスト６０には、ネットワーク２に接続されている複数台の管理者端末３０ａの端末名とＩＰアドレスが対応付けて登録されている。管理者端末３０ａと画像処理装置１０の各々の電源状態の項目に登録されている情報は、第１の実施形態で説明したものと同じである。
【００９３】
図８は、本実施形態に係る画像処理装置１０のサブＣＰＵ２１が行う電源状態の遷移動作を示す流れ図である。ここでは、画像処理装置１０の電源状態は、複数台の管理者端末３０ａのうち電源オン状態側に最も近い電源状態（電源オン、省電力モードＡ、省電力モードＢ、電源オフの４つの電源状態における状態レベルの最も高い管理者端末３０ａの電源状態）に連動させて切り替えるようにしている。
【００９４】
画像処理装置１０のサブＣＰＵ２１は、一定時間経過毎に図８に示す処理を行う。サブＣＰＵ２１は、電源状態変更リスト６０に登録されている複数台の管理者端末３０ａに対して電源状態取得要求を送信し（ステップＳ３０１）、この電源状態取得要求に対する応答として送信先の全ての管理者端末３０ａから電源状態応答を受信するか否かを監視する（ステップＳ３０２；Ｎｏ）。
【００９５】
サブＣＰＵ２１は、上記の全ての管理者端末３０ａから電源状態応答を受信すると（ステップＳ３０２；Ｙｅｓ）、各々の電源状態応答に含まれている各々の電源状態情報から各管理者端末３０ａの電源状態を把握し、電源状態変更リスト６０に従い自装置の電源状態を遷移させる（ステップＳ３０３）。
【００９６】
図９は、上記のステップＳ３０３の処理を詳細に示す流れ図である。
【００９７】
画像処理装置１０のサブＣＰＵ２１は、複数台の管理者端末３０ａの中に、１台でも電源オン状態の管理者端末３０ａがある場合には（ステップＳ４０１；Ｙｅｓ）、電源状態変更リスト６０に従い、自装置の電源状態を電源オンに遷移させる（ステップＳ４０２）。また、電源オン状態の管理者端末３０ａは存在しないが（ステップＳ４０１；Ｎｏ）、１台でも省電力モードＡ状態の管理者端末３０ａがある場合には（ステップＳ４０３；Ｙｅｓ）、電源状態変更リスト６０に従い、自装置の電源状態を省電力モードＡに遷移させる（ステップＳ４０４）。
【００９８】
また、省電力モードＡ状態の管理者端末３０ａは存在しないが（ステップＳ４０３；Ｎｏ）、１台でも省電力モードＢ状態の管理者端末３０ａがある場合には（ステップＳ４０５；Ｙｅｓ）、電源状態変更リスト６０に従い、自装置の電源状態を省電力モードＢに遷移させる（ステップＳ４０６）。また、省電力モードＢ状態の管理者端末３０ａが存在しない場合には（ステップＳ４０５；Ｎｏ）、全ての管理者端末３０ａが電源オフ状態であることになり、電源状態変更リスト６０に従い、自装置の電源状態を電源オフに遷移させる（ステップＳ４０７）。
【００９９】
なお、画像処理装置１０が操作パネルで操作を受けた場合や端末装置３０からプリントジョブを受信した場合の動作（省電力モードＡ状態から電源オン状態への遷移動作）は、第１の実施形態の図６で説明した内容と同じであり、ここでは説明を省略する。
【０１００】
このように、管理者端末３０ａが複数台の場合には、それらの管理者端末３０ａから取得した各々の電源状態情報によって示される各々の電源状態のうち、電源オン状態側に最も近い電源状態に基づいて、画像処理装置１０の電源状態を切り替え、自装置の利用を制限する。前述したように、管理者端末３０ａの電源状態には、その管理者端末３０ａを使用する管理者の在席状況が反映されており、ここでは、電源オン状態側に最も近い電源状態にある管理者端末３０ａを使用する管理者の在席状況によって、画像処理装置１０の利用を制限することができる。
【０１０１】
具体的には、画像処理装置１０は、管理者端末３０ａが１台でも電源オン状態（管理者・在席）、または、電源オン状態はないが１台でも省電力モードＡ状態（管理者・一時離席）であれば、それに連動して自装置も電源オン状態または省電力モードＡ状態になり、これらの電源状態では、全てのジョブを受け付けて実行する（全ジョブ実行可能）。この管理者が１人でも在席または一時離席している場合には、ユーザは画像処理装置１０が利用可能となる。
【０１０２】
一方、電源オン状態や省電力モードＡ状態の管理者端末３０ａがなく、１台でも省電力モードＢ状態（管理者・長時間離席）、または、全てが電源オフ状態（管理者・不在）であれば、画像処理装置１０はそれに連動して省電力モードＢ状態または電源オフ状態になり、これらの電源状態では、全てのジョブの受け付けを拒否する（全ジョブ実行不可能）。この在席または一時離席している管理者が１人もおらず、全ての管理者が長時間離席または不在のいずれかである場合には、ユーザは画像処理装置１０が利用不可能となり、画像処理装置１０の利用が制限され（利用不可能）、ユーザによる画像処理装置１０の不正利用などを防止することができる。
【０１０３】
［第３の実施形態］
第１および第２の実施形態では、画像処理装置１０が省電力モードＢ状態のときは、全てのジョブの受け付けを拒否する場合を説明したが、第３の実施形態では、端末装置３０から受信したプリントジョブは受け付けて保留にし、電源オン状態に復帰したときに保留を解除して実行する場合を説明する。
【０１０４】
ここでは、画像処理装置１０が端末装置３０からプリントジョブを受信した場合は、図６に替えて、以下の動作を行う。また、図５（または図８、図９）で説明した動作は同様に行う。
【０１０５】
図１０は、本実施形態に係る画像処理装置１０が行う端末装置３０からプリントジョブを受信したときの動作を示している。
【０１０６】
画像処理装置１０のサブＣＰＵ２１は、端末装置３０からプリントジョブを受信すると（ステップＳ５０１）、そのプリントジョブの送信元が管理者端末３０ａであるかユーザ端末３０ｂであるかを確認する（ステップＳ５０２）。プリントジョブの送信元が管理者端末３０ａである場合には（ステップＳ５０２；Ｙｅｓ）、サブＣＰＵ２１はメインＣＰＵ１１にそのプリントジョブの実行指示を出す。この指示を受けてメインＣＰＵ１１は、プリントジョブを実行する（ステップＳ５０４）。
【０１０７】
プリントジョブの送信元がユーザ端末３０ｂである場合には（ステップＳ５０２；Ｎｏ）、サブＣＰＵ２１は自装置の電源状態を確認する。自装置の電源状態が電源オンの場合には（ステップＳ５０３；Ｙｅｓ）、サブＣＰＵ２１はメインＣＰＵ１１にプリントジョブの実行指示を出す。この指示を受けてメインＣＰＵ１１は、プリントジョブを実行する（ステップＳ５０４）。
【０１０８】
自装置の電源状態が省電力モードＡの場合には（ステップＳ５０３；Ｎｏ→ステップＳ５０５；Ｙｅｓ）、サブＣＰＵ２１は自装置の電源状態を電源オンに遷移させ（ステップＳ５０６）、メインＣＰＵ１１にプリントジョブの実行指示を出す。この指示を受けてメインＣＰＵ１１は、プリントジョブを実行する（ステップＳ５０４）。
【０１０９】
自装置の電源状態が省電力モードＢの場合には（ステップＳ５０５；Ｎｏ→ステップＳ５０７；Ｙｅｓ）、サブＣＰＵ２１は、受信したプリントジョブをスプールする（ステップＳ５０８）。そして、このプリントジョブの送信元となるユーザ端末３０ｂに、プリントジョブをスプールした旨の通知を行う（ステップＳ５０９）。通知するメッセージの例は、「管理者不在につきジョブ実行できません。ジョブはスプールされ、管理者在席後に実行されます。」などにしてもよい。
【０１１０】
自装置の電源状態が電源オフの場合には（ステップＳ５０７；Ｎｏ）、サブＣＰＵ２１は、受信したプリントジョブを削除し（ステップＳ５１０（ジョブの受付拒否））、このプリントジョブの送信元となるユーザ端末３０ｂに、プリントジョブが実行不可である旨の通知を行う（ステップＳ５１１）。通知するメッセージの例は、「管理者不在につきジョブ実行できません。ジョブはキャンセルされました。」などにしてもよい。
【０１１１】
図１１は、画像処理装置１０が電源オン状態または省電力モードＡ状態に遷移したときにスプールジョブを実行する動作を示している。
【０１１２】
画像処理装置１０のサブＣＰＵ２１は、自装置の電源状態を電源オンまたは省電力モードＡに遷移させると（ステップＳ６０１）、スプールされているプリントジョブの有無を確認する（ステップＳ６０２）。スプールされているプリントジョブがない場合には（ステップＳ６０２；Ｎｏ）、本処理を終了する。
【０１１３】
スプールされているプリントジョブがある場合には（ステップＳ６０２；Ｙｅｓ）、自装置の電源状態を確認する（ステップＳ６０３）。自装置の電源状態が電源オンの場合には（ステップＳ６０３；Ｙｅｓ）、サブＣＰＵ２１はメインＣＰＵ１１に、スプールされているプリントジョブの実行指示を出す。この指示を受けてメインＣＰＵ１１は、スプールされているプリントジョブを実行する（ステップＳ６０５）。
【０１１４】
自装置の電源状態が省電力モードＡの場合には（ステップＳ６０３；Ｎｏ）、サブＣＰＵ２１は自装置の電源状態を電源オンに遷移させ（ステップＳ６０４）、メインＣＰＵ１１に、スプールされているプリントジョブの実行指示を出す。この指示を受けてメインＣＰＵ１１は、スプールされているプリントジョブを実行する（ステップＳ６０５）。
【０１１５】
なお、画像処理装置１０は、管理者端末３０ａに対する電源状態取得要求の送信および電源状態情報の受信によって、自装置の電源状態を管理者端末３０ａの電源状態に連動させており、管理者端末３０ａが省電力モードＢ状態から電源オン状態に復帰した場合は、自装置も省電力モードＢ状態から電源オン状態に復帰する。この復帰前の省電力モードＢ状態にてスプールしたプリントジョブは、電源オン状態に復帰したときに実行することになる。
【０１１６】
また、管理者端末３０ａが省電力モードＢ状態から電源オン状態に復帰したが、その後すぐに手動で省電力機能が作動されたような場合には、その省電力モードＢ状態から電源オン状態への復帰後に、すぐに省電力モードＡ状態へ遷移する。これに対し、画像処理装置１０が管理者端末３０ａに送信する電源状態取得要求の送信タイミングによっては、管理者端末３０ａが電源オン状態に復帰したときに送信されず、管理者端末３０ａが省電力モードＡ状態へ遷移したとき送信される可能性もある。このような場合、画像処理装置１０は省電力モードＢ状態から省電力モードＡ状態に遷移することになり、この遷移前の省電力モードＢ状態にてスプールしたプリントジョブを、省電力モードＡ状態への遷移後に、電源オン状態に復帰して実行することになる。
【０１１７】
このように、本実施形態に係る画像処理装置１０は、管理者端末３０ａの電源状態（電源状態情報）に基づいて、自装置の利用制限に関する制御を行うに当たり、端末装置３０から受信したプリントジョブを受け付けて即実行する制御、または、プリントジョブを受け付けるが保存して実行を一時保留にする制御、または、プリントジョブの受け付けを拒否する制御を行う。自装置の利用制限においては、プリントジョブの一時保留と受付拒否が切り替えられるようになり、たとえば、全てのプリントジョブを受付拒否するといった利用制限などと比較して、利便性が高められる。
【０１１８】
［第４の実施形態］
第１〜第３の実施形態では、画像処理装置１０は管理者端末３０ａの電源状態の変化に自装置の電源状態を連動させて、自装置の利用制限（ジョブの受付制限）に関する制御を行う場合を説明したが、第４の実施形態では、自装置の電源状態を連動させずに、自装置の利用制限に関する制御を行う場合を説明する。
【０１１９】
本実施形態に係る画像処理装置１０は、自装置の電源状態を設定に従って自動で遷移させるようになっている。たとえば、画像処理装置１０は電源オン状態にて、無操作状態およびジョブの無受信状態で所定時間が経過すると、自動的に省電力モードＡ状態に遷移する。さらに、同状態で所定時間が経過すると、自動的に省電力モードＢ状態に遷移するようになっている。この電源オン状態から省電力モードＡ状態に自動遷移する所定時間と、省電力モードＡ状態から省電力モードＢ状態に自動遷移する所定時間とは、予め設定しておく。たとえば、前者は１０分などに設定し、後者はそれよりも長い時間、たとえば１時間などに設定するようにしてもよい。また画像処理装置１０は、省電力モードＡ状態または省電力モードＢ状態にて、操作を受けたりジョブを受信したりすると、自動的に電源オン状態に遷移（復帰）するようになっている。
【０１２０】
図１２は、画像処理装置１０の不揮発メモリ２３（ハードディスク装置２５でもよい）に記憶されているジョブ受付制限変更リスト７０の一例を示している。このジョブ受付制限変更リスト７０は、管理者端末３０ａの電源状態に応じて、画像処理装置１０のジョブの受付制限に関する制御を行うために使用される。
【０１２１】
ジョブ受付制限変更リスト７０には、管理者端末３０ａの端末名とＩＰアドレスが登録されており、さらに、管理者端末３０ａの電源状態（電源オン、省電力モードＡ、省電力モードＢ、電源オフ）と、その各電源状態に応じたジョブの受付制限に関する情報とが対応付けて登録されている。本実施形態では、ジョブの受付制限に関する情報として、「電源オン」には「全ジョブ受付許可」が対応付けて登録されており、「省電力モードＡ」には「全ジョブ受付許可」が対応付けて登録されており、「省電力モードＢ」には「プリントジョブはスプール／他のジョブは受付拒否」が対応付けて登録されており、「電源オフ」には「全ジョブ受付拒否」が対応付けて登録されている。
【０１２２】
なお、ここではジョブ受付制限変更リスト７０に登録された管理者端末３０ａの台数を１台にしているが、第２の実施形態で説明したように、複数台にすることも可能である。
【０１２３】
図１３は、画像処理装置１０が操作パネルを通じたジョブの受付制限を行う場合の動作を示している。なお、ここでは管理者端末３０ａの台数が１台の場合を基本にして説明し、複数台の場合については補足的に説明する。
【０１２４】
画像処理装置１０のサブＣＰＵ２１は、操作パネルで操作部１８に対する操作を受けると（ステップＳ７０１）、ジョブ受付制限変更リスト７０に登録されている管理者端末３０ａ（複数台の場合はその全ての管理者端末３０ａ）に対して電源状態取得要求を送信する（ステップＳ７０２）。
【０１２５】
この電源状態取得要求に対する応答として送信先の管理者端末３０ａ（複数台の場合はその全ての管理者端末３０ａ）から電源状態応答を受信すると（ステップＳ７０３）、その電源状態応答に含まれている電源状態を示す情報を確認する。電源状態応答に電源オンまたは省電力モードＡを示す情報が含まれていた場合（１台でも電源オン状態または省電力モードＡ状態の管理者端末３０ａがある場合）には（ステップＳ７０４；Ｙｅｓ）、サブＣＰＵ２１は、ジョブ受付制限変更リスト７０に従い、自装置をジョブの受け付けを許可する状態にし、自装置の電源状態を確認する（ステップＳ７０５）。
【０１２６】
自装置の電源状態が電源オンの場合には（ステップＳ７０５；Ｙｅｓ）、メインＣＰＵ１１は、操作パネルを通じて原稿のコピーやファクシミリ送信のジョブなどを受け付け、そのジョブを実行する（ステップＳ７０６）。
【０１２７】
自装置の電源状態が省電力モードＡの場合には（ステップＳ７０５；Ｎｏ）、サブＣＰＵ２１は自装置の電源状態を電源オンに遷移させる（ステップＳ７０７）。そしてメインＣＰＵ１１は、操作パネルを通じて原稿のコピーやファクシミリ送信のジョブなどを受け付け、そのジョブを実行する（ステップＳ７０６）。
【０１２８】
また、電源状態応答に省電力モードＢまたは電源オフを示す情報が含まれていた場合（１台でも省電力モードＢ状態または電源オフ状態の管理者端末３０ａがある場合）には（ステップＳ７０４；Ｎｏ）、サブＣＰＵ２１は、ジョブ受付制限変更リスト７０に従い、ジョブの受け付けを拒否する（ステップＳ７０８）。ここでは、操作パネルを作動させないことにより、操作パネルを通じたジョブの受け付けを拒否するようにする。
【０１２９】
図１４は、画像処理装置１０が端末装置３０から受信したプリントジョブの受付制限を行う場合の動作を示している。なお、ここでも管理者端末３０ａの台数が１台の場合を基本にして説明し、複数台の場合については補足的に説明する。
【０１３０】
画像処理装置１０のサブＣＰＵ２１は、端末装置３０からプリントジョブを受信すると（ステップＳ８０１）、そのプリントジョブの送信元が管理者端末３０ａであるかユーザ端末３０ｂであるかを確認する（ステップＳ８０２）。プリントジョブの送信元が管理者端末３０ａである場合には（ステップＳ８０２；Ｙｅｓ）、サブＣＰＵ２１は自装置の電源状態を確認する（ステップＳ８０６）。
【０１３１】
自装置の電源状態が電源オンの場合には（ステップＳ８０６；Ｙｅｓ）、サブＣＰＵ２１はメインＣＰＵ１１にプリントジョブの実行指示を出す。この指示を受けてメインＣＰＵ１１は、プリントジョブを実行する（ステップＳ８０７）。
【０１３２】
自装置の電源状態が電源オン以外の場合には（ステップＳ８０６；Ｎｏ）、サブＣＰＵ２１は自装置の電源状態を電源オンに遷移させ（ステップＳ８０８）、メインＣＰＵ１１にプリントジョブの実行指示を出す。この指示を受けてメインＣＰＵ１１は、プリントジョブを実行する（ステップＳ８０７）。
【０１３３】
また、プリントジョブの送信元がユーザ端末３０ｂである場合には（ステップＳ８０２；Ｎｏ）、サブＣＰＵ２１は、ジョブ受付制限変更リスト７０に登録されている管理者端末３０ａ（複数台の場合はその全ての管理者端末３０ａ）に対して電源状態取得要求を送信する（ステップＳ８０３）。
【０１３４】
この電源状態取得要求に対する応答として送信先の管理者端末３０ａ（複数台の場合はその全ての管理者端末３０ａ）から電源状態応答を受信すると（ステップＳ８０４）、その電源状態応答に含まれている電源状態を示す情報を確認する（ステップＳ８０５）。電源状態応答に電源オンまたは省電力モードＡを示す情報が含まれていた場合（１台でも電源オン状態または省電力モードＡ状態の管理者端末３０ａがある場合）には（ステップＳ８０５；Ｙｅｓ）、サブＣＰＵ２１は、ジョブ受付制限変更リスト７０に従い、自装置をジョブの受け付けを許可する状態にし、自装置の電源状態を確認する（ステップＳ８０６）。
【０１３５】
自装置の電源状態が電源オンの場合には（ステップＳ８０６；Ｙｅｓ）、サブＣＰＵ２１はメインＣＰＵ１１にプリントジョブの実行指示を出す。この指示を受けてメインＣＰＵ１１は、プリントジョブを実行する（ステップＳ８０７）。
【０１３６】
自装置の電源状態が電源オン以外の場合には（ステップＳ８０６；Ｎｏ）、サブＣＰＵ２１は自装置の電源状態を電源オンに遷移させ（ステップＳ８０８）、メインＣＰＵ１１にプリントジョブの実行指示を出す。この指示を受けてメインＣＰＵ１１は、プリントジョブを実行する（ステップＳ８０７）。
【０１３７】
また、電源状態応答に省電力モードＢを示す情報が含まれていた場合（１台でも省電力モードＢ状態の管理者端末３０ａがある場合）には（ステップＳ８０５；Ｎｏ→ステップＳ８０９；Ｙｅｓ）、サブＣＰＵ２１はジョブ受付制限変更リスト７０に従い、受信したプリントジョブをスプールする（ステップＳ８１０）。そして、このプリントジョブの送信元となるユーザ端末３０ｂに、プリントジョブをスプールした旨の通知を行う（ステップＳ８１１）。
【０１３８】
また、電源状態応答に電源オフを示す情報が含まれていた場合（１台でも電源オフ状態の管理者端末３０ａがある場合）には（ステップＳ８０９；Ｎｏ）、サブＣＰＵ２１はジョブ受付制限変更リスト７０に従い、受信したプリントジョブを削除し（ステップＳ８１２（ジョブの受付拒否））、このプリントジョブの送信元となるユーザ端末３０ｂに、プリントジョブが実行不可である旨の通知を行う（ステップＳ８１３）。
【０１３９】
図１５は、画像処理装置１０がスプールジョブを実行する場合の動作を示している。なお、ここでも管理者端末３０ａの台数が１台の場合を基本にして説明し、複数台の場合については補足的に説明する。
【０１４０】
画像処理装置１０のサブＣＰＵ２１は、一定時間経過毎に図１５に示す処理を行う。この一定時間は比較的短い時間、たとえば１分や５分などにすることが好ましい。
【０１４１】
サブＣＰＵ２１は、スプールされているプリントジョブの有無を確認する（ステップＳ９０１）。スプールされているプリントジョブがない場合には（ステップＳ９０１；Ｎｏ）、本処理を終了する。
【０１４２】
スプールされているプリントジョブがある場合には（ステップＳ９０１；Ｙｅｓ）、サブＣＰＵ２１は、ジョブ受付制限変更リスト７０に登録されている管理者端末３０ａ（複数台の場合はその全ての管理者端末３０ａ）に対して電源状態取得要求を送信する（ステップＳ９０２）。
【０１４３】
この電源状態取得要求に対する応答として送信先の管理者端末３０ａ（複数台の場合はその全ての管理者端末３０ａ）から電源状態応答を受信すると（ステップＳ９０３）、その電源状態応答に含まれている電源状態を示す情報を確認する。電源状態応答に省電力モードＢまたは電源オフを示す情報が含まれていた場合（１台でも省電力モードＢ状態または電源オフ状態の管理者端末３０ａがある場合）には（ステップＳ９０４；Ｎｏ）、本処理を終了する。
【０１４４】
電源状態応答に電源オンまたは省電力モードＡを示す情報が含まれていた場合（１台でも電源オン状態または省電力モードＡ状態の管理者端末３０ａがある場合）には（ステップＳ９０４；Ｙｅｓ）、サブＣＰＵ２１は、自装置の電源状態を確認する（ステップＳ９０５）。
【０１４５】
自装置の電源状態が電源オンの場合には（ステップＳ９０５；Ｙｅｓ）、サブＣＰＵ２１はメインＣＰＵ１１に、スプールされているプリントジョブの実行指示を出す。この指示を受けてメインＣＰＵ１１は、スプールされているプリントジョブを実行する（ステップＳ９０６）。
【０１４６】
自装置の電源状態が電源オン以外の場合には（ステップＳ９０５；Ｎｏ）、サブＣＰＵ２１は自装置の電源状態を電源オンに遷移させ（ステップＳ９０７）、メインＣＰＵ１１に、スプールされているプリントジョブの実行指示を出す。この指示を受けてメインＣＰＵ１１は、スプールされているプリントジョブを実行する（ステップＳ９０６）。
【０１４７】
このように、本実施形態に係る画像処理装置１０は、管理者端末３０ａの電源状態の変化に自装置の電源状態を連動させずに、ジョブの受付制限に関する制御を行う。そしてこの場合も、画像処理装置１０は、管理者（１人または全員）が長時間離席している場合や不在の場合にはユーザに対して、自装置の使用を制限することができ、自装置の不正使用などを防止することができる。
【０１４８】
なお、本実施形態における図１３では、画像処理装置１０が操作パネルを通じたジョブの受付制限を行う場合に、操作パネルに対する操作を受けてからジョブの受付制限に関する制御（自装置の利用制限に関する制御）を行うようにしているが、他のタイミングでその制御を行うようにしてもよい。
【０１４９】
たとえば、画像処理装置１０（サブＣＰＵ２１）は、一定時間経過毎に管理者端末３０ａから電源状態（電源状態情報）を取得する。管理者端末３０ａの電源状態が電源オンまたは省電力モードＡであれば、ジョブ受付制限変更リスト７０に従い、自装置を利用可能（全ジョブ実行可能）な状態に遷移させて待機し、操作パネルに対する操作を受けた場合はその状態でジョブを受け付ける。また、管理者端末３０ａの電源状態が省電力モードＢまたは電源オフであれば、ジョブ受付制限変更リスト７０に従い、自装置を利用不可能（操作パネルを通じたジョブの受付拒否状態）な状態に遷移させ、管理者が不在であるため画像処理装置１０を利用できない旨のメッセージを操作パネル（表示部１７）に表示して待機するようにしてもよい。
【０１５０】
以上、本発明の実施形態を図面によって説明してきたが、具体的な構成は実施形態に示したものに限られるものではなく、本発明の要旨を逸脱しない範囲における変更や追加があっても本発明に含まれる。
【０１５１】
実施形態では画像処理装置１０が複合機の場合を例に説明したが、端末装置から何らかのジョブを受信して処理する装置であればよく、ネットワーク接続可能なプリンタや原稿を読み取るスキャナ装置など他の種類の画像処理装置であってもかまわない。
【０１５２】
また、実施形態では画像処理装置１０と端末装置３０の電源状態を、同じ４つの状態（電源オン状態（通常状態）、省電力モードＡ状態、省電力モードＢ状態、電源オフ状態）に区別していたが、同じ３つ（電源オン状態、省電力モード状態、電源オフ状態）または５つ以上の状態に区別してもよいし、異なる複数の状態に区別してもよい。
【０１５３】
たとえば、端末装置３０の電源状態を、
Ｓ０：通常動作（電源オン状態）、
Ｓ１：メインＣＰＵを省電力化するスリープ状態、
Ｓ２：ＯＳがサポートによるサスペンド状態、
Ｓ３：メモリ以外への給電をほぼ停止するサスペンド状態(Suspend-To-RAM)、
Ｓ４：メモリの内容をハードディスク装置に保存後、メモリへの給電も停止するサスペンド状態(Suspend-To-Disk)、
Ｓ５：シャットダウン状態、
に分けて管理している場合に、これらＳ０〜Ｓ５を区別して電源状態を取得し、これらの電源状態に基づいて、画像処理装置１０の利用制限に関する制御を変更するようにしてもよい。実施形態で説明した画像処理装置１０の電源オン状態（通常状態）、省電力モードＡ状態、省電力モードＢ状態、電源オフ状態を上記のＳ０〜Ｓ５に連動させる場合は、電源オン状態をＳ０に対応させ、省電力モードＡ状態をＳ１とＳ２に対応させ、省電力モードＢ状態をＳ３とＳ４に対応させ、電源オフ状態をＳ５に対応させるなどしてもよい。
【０１５４】
また画像処理装置１０は、自装置の利用制限に関する制御の変更によって、利用を制限する機能を設定できるように構成してもよい。たとえば、プリントと送信、プリントにおけるカラーとモノクロなどで、利用を制限する機能を設定できるように構成してもよい。また、プリントと送信では、管理者端末３０ａが電源オン状態であればいずれも利用可能とし、管理者端末３０ａが省電力モードＡ状態であればプリント（ＰＣプリント、コピー）は利用を許可して送信は利用を制限し、管理者端末３０ａが省電力モードＢまたは電源オフ状態であれば全ての機能の利用を制限するなどしてもよい。プリントにおけるカラーとモノクロでは、管理者端末３０ａが電源オン状態であればいずれも利用可能とし、管理者端末３０ａが省電力モードＡ状態であればモノクロプリントは利用を許可してカラープリントは利用を制限し、管理者端末３０ａが省電力モードＢまたは電源オフ状態であれば全ての機能の利用を制限するなどしてもよい。
【符号の説明】
【０１５５】
２…ネットワーク
５…ネットワークシステム
１０…画像処理装置
１１…メインＣＰＵ
１２…ＲＯＭ
１３…ＲＡＭ
１４…スキャナ部
１５…プリンタ部
１６…ファクシミリ部
１７…表示部
１８…操作部
１９…画像処理部
２０…ブリッジ部
２１…サブＣＰＵ
２２…メモリ
２３…不揮発メモリ
２４…ネットワークＩ／Ｆ部
２５…ハードディスク装置
２８…電源部
３０…端末装置
３０ａ…管理者端末
３０ｂ…ユーザ端末
３１…メインＣＰＵ
３２…ＲＯＭ
３３…ＲＡＭ
３４…入出力Ｉ／Ｆ部
３５…入力デバイス
３６…表示装置
４０…ブリッジ部
４１…サブＣＰＵ
４２…メモリ
４３…不揮発メモリ
４４…ネットワークＩ／Ｆ部
４５…ハードディスク装置
４８…電源部
５０…電源状態変更リスト
６０…電源状態変更リスト
７０…ジョブ受付制限変更リスト
Ｑ…電源状態取得要求
Ｒ…電源状態情報
【図１】
2012080501.tif 000003
【図２】
2012080501.tif 000004
【図３】
2012080501.tif 000005
【図４】
2012080501.tif 000006
【図５】
2012080501.tif 000007
【図６】
2012080501.tif 000008
【図７】
2012080501.tif 000009
【図８】
2012080501.tif 000010
【図９】
2012080501.tif 000011
【図１０】
2012080501.tif 000012
【図１１】
2012080501.tif 000013
【図１２】
2012080501.tif 000014
【図１３】
2012080501.tif 000015
【図１４】
2012080501.tif 000016
【図１５】
2012080501.tif 000017